(57)【要約】【課題】高いしきい値を得ることができる半導体装置及びその製造方法を提供する。【解決手段】実施形態によれば、半導体装置は、第１〜第３電極、第１〜第３層及び絶縁層を含む。第１層は、第１電極から離れた第１面、第２電極から離れた第２面、及び、第３電極から離れ傾斜した第３面を含む。第２層は、第１電極と第１面との間に設けられた第１部分領域、第２電極と第２面との間に設けられた第２部分領域、及び、第３電極と第３面との間に設けられた第３部分領域を含む。第３層は、第１電極と第１部分領域との間に設けられた第４部分領域、第２電極と第２部分領域との間に設けられた第５部分領域、及び、第３電極と第３部分領域との間に設けられた第６部分領域を含む。第４、第５部分領域、第１、第２電極とそれぞれ電気的に接続され。絶縁層は、第３電極と第６部分領域との間に設けられる。【選択図】図１
2020174202.tif 000002
【特許請求の範囲】
【請求項１】
第１電極と、
第２電極と、
第３電極であって、第１方向における前記第３電極の位置は、前記第１方向における前記第１電極の位置と、前記第１方向における前記第２電極の位置との間にある、前記第３電極と、
前記第１方向と交差する第２方向において前記第１電極から離れた第１面、前記第２方向において前記第２電極から離れ前記第１面が含まれる第１平面に沿う第２面、及び、前記第２方向において前記第３電極から離れた凹面を含む第１層であって、前記凹面は前記第１平面に対して傾斜した第３面及び第４面を含み、前記第１層は、Ａｌｘ１Ｇａ１−ｘ１Ｎ（０＜ｘ１＜１）、及び、ｐ形のＡｌｚ１Ｇａ１−ｚ１Ｎ（０≦ｚ１＜１）のいずれかを含む、前記第１層と、
前記第２方向において前記第１電極と前記第１面との間に設けられた第１部分領域、前記第２方向において前記第２電極と前記第２面との間に設けられた第２部分領域、及び、前記第２方向において前記第３電極と前記凹面との間に設けられた第３部分領域を含み、Ａｌｘ２Ｇａ１−ｘ２Ｎ（０≦ｘ２＜１、ｘ２＜ｘ１）を含む第２層と、
前記第２方向において前記第１電極と前記第１部分領域との間に設けられた第４部分領域、前記第２方向において前記第２電極と前記第２部分領域との間に設けられた第５部分領域、及び、前記第２方向において前記第３電極と前記第３部分領域との間に設けられた第６部分領域を含み、Ａｌｘ３Ｇａ１−ｘ３Ｎ（０＜ｘ３＜１、ｘ２＜ｘ３）を含む第３層と、
前記第２方向において前記第３電極と前記第６部分領域との間に設けられた絶縁層と、
を備えた半導体装置。
【請求項２】
第１電極と、
第２電極と、
第３電極であって、第１方向における前記第３電極の位置は、前記第１方向における前記第１電極の位置と、前記第１方向における前記第２電極の位置との間にある、前記第３電極と、
前記第１方向と交差する第２方向において前記第１電極から離れた第１面、前記第２方向において前記第２電極から離れ前記第１面が含まれる第１平面に沿う第２面、及び、前記第２方向において前記第３電極から離れた凸部を含む第１層であって、前記凸部は前記第１平面に対して傾斜した第３面及び第４面を含み、前記凸部は、前記第１面及び前記第３面と連続し前記第３面の傾斜方向に対して逆方向に傾斜した第１の側面と、前記第２面及び前記第４面と連続し前記第４面の傾斜方向に対して逆方向に傾斜した第２の側面と、を含み、前記第１層は、Ａｌｘ１Ｇａ１−ｘ１Ｎ（０＜ｘ１＜１）、及び、ｐ形のＡｌｚ１Ｇａ１−ｚ１Ｎ（０≦ｚ１＜１）のいずれかを含む、前記第１層と、
前記第２方向において前記第１電極と前記第１面との間に設けられた第１部分領域、前記第２方向において前記第２電極と前記第２面との間に設けられた第２部分領域、及び、前記第２方向において前記第３電極と前記凸部との間に設けられた第３部分領域を含む第２層であって、前記第２層の一部は、前記第１の側面と前記第１面との間にあり、前記第２層の別の一部は、前記第２の側面と前記第２面との間にあり、前記第２層は、Ａｌｘ２Ｇａ１−ｘ２Ｎ（０≦ｘ２＜１、ｘ２＜ｘ１）を含む、前記第２層と、
前記第２方向において前記第１電極と前記第１部分領域との間に設けられた第４部分領域、前記第２方向において前記第２電極と前記第２部分領域との間に設けられた第５部分領域、及び、前記第２方向において前記第３電極と前記第３部分領域との間に設けられた第６部分領域を含み、Ａｌｘ３Ｇａ１−ｘ３Ｎ（０＜ｘ３＜１、ｘ２＜ｘ３）を含む第３層と、
前記第２方向において前記第３電極と前記第６部分領域との間に設けられた絶縁層と、
を備えた半導体装置。
【請求項３】
前記第４部分領域は、前記第１電極と電気的に接続され、前記第５部分領域は、前記第２電極と電気的に接続された、請求項１または２に記載の半導体装置。
【請求項４】
前記第１面と、前記第１層のｃ面と、の間の角度の絶対値は、前記第３面と前記ｃ面との間の角度の絶対値よりも小さい、請求項１〜３のいずれか１つに記載の半導体装置。
【請求項５】
前記第１面及び第２面は、前記第１層のｃ面に沿い、
前記第３面は、前記ｃ面に対して傾斜した、請求項１〜３のいずれか１つに記載の半導体装置。
【請求項６】
前記第１面と、前記第１層のｃ面と、の間の角度の絶対値は、５度以下であり、
前記第３面と、前記第１層のｃ面と、の間の角度の絶対値は、１０度以上８０度以下である、請求項１〜３のいずれか１つに記載の半導体装置。
【請求項７】
前記第３電極は、前記絶縁層に対向する第３電極面を含み、
前記第３電極面は、前記第３面を含む第３平面に沿った、請求項１〜６のいずれか１つに記載の半導体装置。
【請求項８】
前記絶縁層は、前記第３面に対向する第１絶縁層面を含み、
前記第１絶縁層面は、前記第３面を含む第３平面に沿った、請求項１〜６のいずれか１つに記載の半導体装置。
【請求項９】
前記絶縁層は、前記第３電極に対向する第２絶縁層面を含み、
前記第２絶縁層面は、前記第３平面に沿った、請求項８記載の半導体装置。
【請求項１０】
記第３層は、前記第３面に対向する第３層面を含み、
前記第３層面は、前記第３面を含む第３平面に沿った、請求項１〜６のいずれか１つに記載の半導体装置。
【発明の詳細な説明】
【技術分野】
【０００１】
本発明の実施形態は、半導体装置及びその製造方法に関する。
【背景技術】
【０００２】
例えば、窒化物半導体を用いたトランジスタなどの半導体装置がある。しきい値を高くすることで、ノーマリオン型の半導体装置が得られる。
【先行技術文献】
【特許文献】
【０００３】
【特許文献１】特開２００７−８８１８５号公報
【発明の概要】
【発明が解決しようとする課題】
【０００４】
本発明の実施形態は、高いしきい値を得ることができる半導体装置及びその製造方法を提供する。
【課題を解決するための手段】
【０００５】
本発明の実施形態によれば、半導体装置は、第１電極、第２電極、第３電極、第１層、第２層、第３層及び絶縁層を含む。第１方向における前記第３電極の位置は、前記第１方向における前記第１電極の位置と、前記第１方向における前記第２電極の位置との間にある。前記第１層は、前記第１方向と交差する第２方向において前記第１電極から離れた第１面、前記第２方向において前記第２電極から離れ前記第１面が含まれる第１平面に沿う第２面、及び、前記第２方向において前記第３電極から離れ前記第１平面に対して傾斜した第３面を含み、Ａｌｘ１Ｇａ１−ｘ１Ｎ（０＜ｘ１＜１）、及び、ｐ形のＡｌｚ１Ｇａ１−ｚ１Ｎ（０≦ｚ１＜１）のいずれかを含む。前記第２層は、前記第２方向において前記第１電極と前記第１面との間に設けられた第１部分領域、前記第２方向において前記第２電極と前記第２面との間に設けられた第２部分領域、及び、前記第２方向において前記第３電極と前記第３面との間に設けられた第３部分領域を含み、Ａｌｘ２Ｇａ１−ｘ２Ｎ（０≦ｘ２＜１、ｘ２＜ｘ１）を含む。前記第３層は、前記第２方向において前記第１電極と前記第１部分領域との間に設けられた第４部分領域、前記第２方向において前記第２電極と前記第２部分領域との間に設けられた第５部分領域、及び、前記第２方向において前記第３電極と前記第３部分領域との間に設けられた第６部分領域を含み、Ａｌｘ３Ｇａ１−ｘ３Ｎ（０＜ｘ３＜１、ｘ２＜ｘ３）を含む。前記第４部分領域は、前記第１電極と電気的に接続され、前記第５部分領域は、前記第２電極と電気的に接続される。前記絶縁層は、前記第２方向において前記第３電極と前記第６部分領域との間に設けられる。
【図面の簡単な説明】
【０００６】
【図１】第１実施形態に係る半導体装置を例示する模式的断面図である。
【図２】第１実施形態に係る半導体装置の製造方法を例示する模式的断面図である。
【図３】第１実施形態に係る半導体装置の製造方法を例示する模式的断面図である。
【図４】第１実施形態に係る半導体装置の製造方法を例示する模式的断面図である。
【図５】第１実施形態に係る半導体装置の製造方法を例示する模式的断面図である。
【図６】第１実施形態に係る別の半導体装置を例示する模式的断面図である。
【図７】第１実施形態に係る別の半導体装置の製造方法を例示する模式的断面図である。
【図８】第１実施形態に係る別の半導体装置の製造方法を例示する模式的断面図である。
【図９】第１実施形態に係る別の半導体装置の製造方法を例示する模式的断面図である。
【図１０】第１実施形態に係る別の半導体装置の製造方法を例示する模式的断面図である。
【図１１】第２実施形態に係る半導体装置を例示する模式的断面図である。
【図１２】第２実施形態に係る別の半導体装置の製造方法を例示する模式的断面図である。
【図１３】第２実施形態に係る別の半導体装置の製造方法を例示する模式的断面図である。
【図１４】第２実施形態に係る別の半導体装置の製造方法を例示する模式的断面図である。
【図１５】第２実施形態に係る別の半導体装置の製造方法を例示する模式的断面図である。
【図１６】第３実施形態に係る半導体装置を例示する模式的断面図である。
【図１７】第３実施形態に係る別の半導体装置の製造方法を例示する模式的断面図である。
【図１８】第３実施形態に係る別の半導体装置の製造方法を例示する模式的断面図である。
【図１９】第３実施形態に係る別の半導体装置の製造方法を例示する模式的断面図である。
【図２０】第３実施形態に係る別の半導体装置の製造方法を例示する模式的断面図である。
【図２１】実施形態に係る別の半導体装置を例示する模式的断面図である。
【図２２】実施形態に係る別の半導体装置を例示する模式的断面図である。
【図２３】実施形態に係る別の半導体装置を例示する模式的断面図である。
【図２４】実施形態に係る別の半導体装置を例示する模式的断面図である。
【図２５】第４実施形態に係る半導体装置を例示する模式的断面図である。
【図２６】第４実施形態に係る半導体装置の製造方法を例示する模式的断面図である。
【図２７】第４実施形態に係る半導体装置の製造方法を例示する模式的断面図である。
【図２８】第４実施形態に係る半導体装置の製造方法を例示する模式的断面図である。
【図２９】第４実施形態に係る半導体装置の製造方法を例示する模式的断面図である。
【図３０】第４実施形態に係る別の半導体装置を例示する模式的断面図である。
【図３１】第４実施形態に係る別の半導体装置の製造方法を例示する模式的断面図である。
【図３２】第４実施形態に係る別の半導体装置の製造方法を例示する模式的断面図である。
【図３３】第４実施形態に係る別の半導体装置の製造方法を例示する模式的断面図である。
【図３４】第４実施形態に係る別の半導体装置の製造方法を例示する模式的断面図である。
【図３５】第５実施形態に係る半導体装置を例示する模式的断面図である。
【図３６】第５実施形態に係る別の半導体装置の製造方法を例示する模式的断面図である。
【図３７】第５実施形態に係る別の半導体装置の製造方法を例示する模式的断面図である。
【図３８】第５実施形態に係る別の半導体装置の製造方法を例示する模式的断面図である。
【図３９】第５実施形態に係る別の半導体装置の製造方法を例示する模式的断面図である。
【図４０】図４０は、第５実施形態に係る別の半導体装置を例示する模式的断面図である。
【発明を実施するための形態】
【０００７】
以下に、本発明の各実施の形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００８】
（第１実施形態）  
図１は、第１実施形態に係る半導体装置を例示する模式的断面図である。  
図１に示すように、第１実施形態に係る半導体装置１１０は、第１電極５１、第２電極５２、第３電極５３、第１層１０、第２層２０、第３層３０及び絶縁層４０を含む。
【０００９】
この例では、基板６０ｓ（例えばシリコン基板）が設けられている。基板６０ｓの上に、第１層１０が設けられる。第１層１０の上に第２層２０が設けられる。第２層２０の上に第３層３０が設けられる。第１層１０、第２層２０及び第３層３０は、窒化物半導体を含む。
【００１０】
例えば、基板６０ｓの上に、バッファ層１０Ｂ（例えば、ＡｌＧａＮ層）が設けられても良い。バッファ層１０Ｂの上に第１層１０が設けられる。または、バッファ層１０Ｂは第１層１０の一部とされても良い。
【００１１】
第１方向Ｄ１における第３電極５３の位置は、第１方向Ｄ１における第１電極５１の位置と、第１方向Ｄ１における第２電極５２の位置と、の間にある。
【００１２】
第１方向Ｄ１をＸ軸方向とする。Ｘ軸方向に対して垂直な方向をＺ軸方向とする。Ｘ軸方向及びＺ軸方向に対して垂直な方向をＹ軸方向とする。
【００１３】
第１層１０は、Ａｌｘ１Ｇａ１−ｘ１Ｎ（０＜ｘ１＜１）、及び、ｐ形のＡｌｚ１Ｇａ１−ｚ１Ｎ（０≦ｚ１＜１）のいずれかを含む。
【００１４】
第１層１０は、例えば、ＡｌＧａＮを含む。この場合におけるＡｌの組成比は、例えば、５ａｔｍ％（原子パーセント）以上４０ａｔｍ％以下である。第１層１０は、例えば、Ａｌ０．２Ｇａ０．８Ｎを含む。
【００１５】
または、第１層１０は、ｐ形のＧａＮを含む。第１層１０は、例えば、Ｍｇ、Ｚｎ及びＣの少なくともいずれかを含む、ＧａＮを含む。
【００１６】
第１層１０は、Ｙ軸方向において、これらの電極から離れる。第１層１０は、第１面１０ａ、第２面１０ｂ及び第３面１０ｃを含む。これらの面のそれぞれ、例えば、第１層１０の上面の３つの部分に対応する。
【００１７】
第１面１０ａは、第２方向Ｄ２において、第１電極５１から離れる。第２方向Ｄ２は、第１方向Ｄ１と交差する。この例では、第２方向Ｄ２は、Ｚ軸方向である。第１面１０ａは、例えば、Ｘ−Ｙ平面に沿っている。
【００１８】
第２面１０ｂは、第２方向Ｄ２において第２電極５２から離れる。第２面１０ｂは、第１面１０ａが含まれる第１平面ＰＬ１に沿う。第１平面ＰＬ１は、例えば、Ｘ−Ｙ平面に沿う。
【００１９】
第３面１０ｃは、第２方向Ｄ２において、第３電極５３から離れる。第３面１０ｃは、第１平面ＰＬ１（例えばＸ−Ｙ平面）に対して傾斜している。
【００２０】
第２層２０は、Ａｌｘ２Ｇａ１−ｘ２Ｎ（０≦ｘ２＜１、ｘ２＜ｘ１）を含む。第２層２０は、例えば、ＧａＮを含む。
【００２１】
第２層２０は、第１部分領域ｐ１、第２部分領域ｐ２及び第３部分領域ｐ３を含む。
【００２２】
第１部分領域ｐ１は、第２方向Ｄ２（例えば、Ｚ軸方向）において、第１電極５１と第１面１０ａとの間に設けられる。第２部分領域ｐ２は、第２方向Ｄ２において、第２電極５２と第２面１０ｂとの間に設けられる。第３部分領域ｐ３は、第２方向Ｄ２において、第３電極５３と第３面１０ｃとの間に設けられる。これらの部分領域は、例えば、互いに連続している。
【００２３】
第３層３０は、Ａｌｘ３Ｇａ１−ｘ３Ｎ（０＜ｘ３＜１、ｘ２＜ｘ３）を含む。第３層３０は、例えば、ＡｌＧａＮを含む。第３層３０におけるＡｌの組成比は、例えば、５ａｔｍ％（原子パーセント）以上４０ａｔｍ％以下である。第３層３０は、例えば、Ａｌ０．２Ｇａ０．８Ｎを含む。
【００２４】
第３層３０は、第４部分領域ｐ４、第５部分領域ｐ５及び第６部分領域ｐ６を含む。
【００２５】
第５部分領域ｐ５は、第２方向Ｄ２（例えば、Ｚ軸方向）において、第１電極５１と第１部分領域ｐ１との間に設けられる。第５部分領域ｐ５は、第２方向Ｄ２において、第２電極５２と第２部分領域ｐ２との間に設けられる。第６部分領域ｐ６は、第２方向Ｄ２において、第３電極５３と第３部分領域ｐ３との間に設けられる。
【００２６】
第４部分領域ｐ４は、第１電極５１と電気的に接続される。第５部分領域ｐ５は、第２電極５２と電気的に接続される。
【００２７】
絶縁層４０は、第２方向Ｄ２（例えば、Ｚ軸方向）において、第３電極５３と第６部分領域ｐ６との間に設けられる。
【００２８】
例えば、第１電極５１は、半導体装置１１０のソース電極及びドレイン電極の一方となる。第２電極５２は、ソース電極及びドレイン電極の他方となる。第３電極５３は、半導体装置１１０のゲート電極となる。絶縁層４０は、例えば、ゲート絶縁膜となる。
【００２９】
例えば、第２層２０と第３層３０との間において格子定数が異なる。このとき、自発分極及びピエゾ分極が、ウルツ鉱型結晶構造のｃ軸方向に発生する。自発分極及びピエゾ分極によって、第２層２０（例えばＧａＮ）と第３層３０（例えばＡｌＧａＮ）と、の間の界面の近傍に２次元電子ガス２２（２ＤＥＧ）が生じる。２次元電子ガス２２が高移動度のチャネルとなる。半導体装置１１０は、例えば、高電子移動度トランジスタ（ＨＥＭＴ）である。
【００３０】
半導体装置１１０においては、第１層１０が設けられている。第１層１０は、ＡｌＧａＮまたはｐ形のＧａＮを含む。第１層１０は、例えば、バックバリア層として機能する。
【００３１】
半導体装置１１０においては、この第１層１０の一部（第３面１０ｃ）が傾斜している。これにより、この第３面１０ｃと第３電極５３との間の領域において、分極が弱まる。これにより、しきい値が高くなる。実施形態によれば、高いしきい値を得ることができる。
【００３２】
一方、第１電極５１の近傍、及び、第２電極５２の近傍では、強い分極が作用する。これにより、抵抗が低くなる。高いしきい値とともに、低いオン抵抗が得られる。
【００３３】
例えば、第１平面ＰＬ１（第１面１０ａが含まれる平面）は、第１層１０のｃ面に沿う。例えば、第１面１０ａ及び第２面１０ｂは、ｃ面に沿う。一方、第３面１０ｃは、ｃ面に対して傾斜する。
【００３４】
例えば、第１平面ＰＬ１と、第１層１０のｃ面と、の間の角度の絶対値は、第３面１０ｃとｃ面との間の角度の絶対値よりも小さい。例えば、第１面１０ａとｃ面との間の角度の絶対値は、第３面１０ｃとｃ面との間の角度の絶対値よりも小さい。第２面１０ｂとｃ面との間の角度の絶対値は、第３面１０ｃとｃ面との間の角度の絶対値よりも小さい。
【００３５】
例えば、第１面１０ａと、第１層１０のｃ面と、の間の角度の絶対値は、５度未満である。第２面１０ｂと、第１層１０のｃ面と、の間の角度の絶対値は、５度未満である。一方、第３面１０ｃと、第１層１０のｃ面と、の間の角度の絶対値は、５度以上８５度以下である。
【００３６】
例えば、第２層２０の第３部分領域ｐ３（ＧａＮチャネル層）も、ｃ面に対して傾斜する。第３層３０の第６部分領域ｐ６（ＡｌＧａＮバリア層）も、ｃ面に対して傾斜する。傾斜したＧａＮチャネル層と、傾斜したＡｌＧａＮバリア層と、の間において、分極が弱まる。これにより、しきい値が上昇する。そして、上記のように、傾斜した第３面１０ｃを含むバックバリア層（第１層１０）によって、しきい値がより高くなる。
【００３７】
第１電極５１と第３電極５３との間の領域、及び、第２電極５２と第３電極５３との間の領域においては、ＧａＮチャネル層は、水平であり、キャリア密度が高くなる。これにより、抵抗が低くなる。良好な特性のノーマリーオフ特性（高いしきい値）と、低いオン抵抗と、が得られる。
【００３８】
例えば、第３電極５３は、第３電極面５３ａ（例えば下面）を含む。第３電極面５３ａは、絶縁層４０に対向する。第３電極面５３ａは、第３面１０ｃを含む第３平面ＰＬ３に沿う。このように、第３電極５３の第３電極面５３ａ（例えば下面）も傾斜する。
【００３９】
絶縁層４０は、第１絶縁層面４０ａ（例えば下面）を含む。第１絶縁層面４０ａは、第３面１０ｃに対向する。第１絶縁層面４０ａは、第３面１０ｃを含む第３平面ＰＬ３に沿う。このように、絶縁層４０の第１絶縁層面４０ａ（例えば下面）も傾斜する。
【００４０】
絶縁層４０は、第２絶縁層面４０ｂ（例えば上面）を含む。第２絶縁層面４０ｂは、第３電極５３に対向する。第２絶縁層面４０ｂは、第３平面ＰＬ３に沿う。このように、絶縁層４０の第２絶縁層面４０ｂ（例えば上面）も傾斜する。
【００４１】
第３層３０は、第３層面３０ａ（例えば下面）を含む。第３層面３０ａは、第３面１０ｃに対向する。第３層面３０ａは、第３面１０ｃを含む第３平面ＰＬ３に沿う。このように、第３層３０の第３層面３０ａ（例えば下面）も傾斜する。
【００４２】
第２層２０は、第２層面２０ａ（例えば下面）を含む。第２層面２０ａは、第３面１０ｃに対向する。第２層面２０ａは、第３面１０ｃを含む第３平面ＰＬ３に沿う。
【００４３】
図１に示すように、この例においては、傾斜した部分の第２層２０の厚さは、他の部分の厚さよりも薄い。例えば、第３部分領域ｐ３の厚さを第３厚さｔ３とする。第３厚さｔ３は、第３方向Ｄ３に沿う長さ（厚さ）である。第３方向Ｄ３は、第３面１０ｃに対して垂直である。一方、第２部分領域ｐ２の厚さを第２厚さｔ２とする。第２厚さｔ２は、第２方向Ｄ２（Ｚ軸方向）に沿う長さ（厚さ）である。第３厚さｔ３は、第２厚さｔ２さよりも薄い。第１部分領域ｐ１の厚さを第１厚さｔ１とする。第１厚さｔ１は、第１方向Ｄ１（Ｚ軸方向）に沿う長さ（厚さ）である。第３厚さｔ３は、第１厚さｔ１よりも薄い。
【００４４】
これらの厚さは、キャリアが流れる方向に対して垂直な方向における幅（長さ）である。これらの厚さが薄いと、キャリア密度が低下する。
【００４５】
実施形態において、第３厚さｔ３は、第１厚さｔ１よりも薄く、第２厚さｔ２よりも薄い。これにより、しきい値が、より高くなる。
【００４６】
既に説明したように、実施形態において、第１面１０ａを含む第１平面ＰＬ１と、第３面１０ｃと、の間の角度の絶対値は、例えば、５度以上８５度以下である。例えば、ｃ面と、第３面１０ｃと、の間の角度の絶対値は、例えば、５度以上８５度以下である。
【００４７】
このような傾斜した第３面１０ｃにより、第３面１０ｃの上に形成される第２層２０の厚さ（第３厚さｔ３）を他の部分の厚さ（例えば第１厚さｔ１または第２厚さｔ２）よりも薄くできる。
【００４８】
実施形態において、第１厚さｔ１及び第２厚さｔ２のそれぞれは、例えば、１００ｎｍ以上５００ｎｍ以下である。第３厚さｔ３は、例えば、３０ｎｍ以上２００ｎｍ以下である。
【００４９】
上記の角度の絶対値が５度以上８５度以下のときに、例えば、分極が低減できるとともに、傾斜した部分を局所的に薄くできる。
【００５０】
傾斜の角度は、例えば、エッチング条件等により制御できる。図１に示す例において、例えば、第３電極５３の傾斜面に沿った幅を５００ｎｍとする。例えば、傾斜の角度が３０度のときに、第１面１０ａと第２面１０ｂとの間の高さの差は、２５０ｎｍになる。例えば、傾斜の角度が６０度のときに、第１面１０ａと第２面１０ｂとの間の高さの差は、４３２ｎｍになる。
【００５１】
実施形態において、例えば、第６部分領域ｐ６の厚さ（第３面１０ｃに対して垂直な方向の長さ（厚さ））は、第５部分領域ｐ５の厚さ（第２方向Ｄ２（Ｚ軸方向）に沿う長さ（厚さ）よりも薄い。例えば、第６部分領域ｐ６の厚さは、第４部分領域ｐ４の厚さ（第２方向Ｄ２（Ｚ軸方向）に沿う長さ（厚さ）よりも薄い。
【００５２】
実施形態において、第１層１０の第１面１０ａを含む部分、及び、第１層１０の第２面１０ｂを含む部分における厚さ（Ｚ軸方向に沿う厚さ）は、例えば、５００ｎｍ以上５０００ｎｍ以下である。
【００５３】
実施形態において、第２層２０において、第１厚さｔ１は、例えば、１００ｎｍ以上５００ｎｍ以下である。第３層３０において、第４部分領域ｐ４の厚さ（第２方向Ｄ２（Ｚ軸方向）に沿う長さは、例えば、１０ｎｍ以上ｎ１００ｍ以下である。
例えば、第６部分領域ｐ６の厚さ（第３方向Ｄ３に沿う長さ）は、第４部分領域ｐ４の厚さ（第２方向Ｄ２に沿った長さ）よりも薄く、第５部分領域ｐ５の厚さ（第２方向Ｄ２に沿った長さ）よりも薄い。
【００５４】
第１電極５１及び第２電極５２は、例えば、第３層３０に対してオーミック接触する。これらの電極は、例えば、Ａｕ／Ｎｉ／Ａｌ／Ｔｉなどの積層膜を含む。Ｔｉが第３層３０に接する。
【００５５】
第３電極５３は、例えば、ＴｉＮを含む。第３電極５３は、例えば、仕事関数の高い金属を含んでも良い。第３電極５３は、仕事関数の高い金属を含む積層膜を含んでも良い。
【００５６】
絶縁層４０は、例えば、酸化シリコン、酸化アルミニウム、酸窒化シリコン、酸窒化アルミニウム、及び、窒化シリコンの少なくともいずれかを含む。絶縁層４０は、これらの材料を含む複数の膜を含んでも良い。
【００５７】
図１に示す例においては、第１電極５１と第３電極５３との間の第１方向Ｄ１（例えばＸ軸方向）に沿った第１距離ｄ１は、第２電極５２と第３電極５３との間の第１方向Ｄ１に沿った第２距離ｄ２よりも短い。１つの例において、第１距離ｄ１は約２μｍであり、、第２距離ｄ２は約１５μｍである。このような長さの関係により、例えば、第１距離ｄ１側の電気抵抗を低くし、第２距離ｄ２側に高電界を印加することが可能となり、より好ましい。実施形態において、これらの距離の関係は逆でも良い。
【００５８】
以下、半導体装置１１０の製造方法の例について説明する。
【００５９】
図２〜図５は、第１実施形態に係る半導体装置の製造方法を例示する模式的断面図である。  
図２に示すように、基板６０ｓ（例えばシリコン基板）の上に、第１膜１０ｆを形成する。第１膜１０ｆは、Ａｌｘ１Ｇａ１−ｘ１Ｎ（０＜ｘ１＜１）、及び、ｐ形のＡｌｚ１Ｇａ１−ｚ１Ｎ（０≦ｚ１＜１）のいずれかを含む。
【００６０】
第１膜１０ｆの一部の上に、マスク層６２を形成する。マスク層６２は、例えば、レジスト膜及びハードマスク膜の少なくともいずれかを含む。マスク層６２は、傾斜面６２ｔを有する。傾斜面６２ｔは、第１膜１０ｆの上面１０ｆｕに対して傾斜している。上面１０ｆｕは、例えば、Ｘ−Ｙ平面に沿っている。
【００６１】
図３に示すように、マスク層６２をマスクとして用いて、第１膜１０ｆの一部を除去する。これにより、第１層１０が得られる。第１層１０は、Ａｌｘ１Ｇａ１−ｘ１Ｎ（０＜ｘ１＜１）、及び、ｐ形のＡｌｚ１Ｇａ１−ｚ１Ｎ（０≦ｚ１＜１）のいずれかを含む。
【００６２】
第１層１０は、第１面１０ａ、第２面１０ｂ及び第３面１０ｃを含む。これらの面は、例えば、上面である。第２面１０ｂは、第１面１０ａが含まれる第１平面ＰＬ１（例えばＸ−Ｙ平面）に沿う。第３面１０ｃは、第１面１０ａに対して傾斜している。第１面１０ａに沿う第１方向Ｄ１における第３面１０ｃの位置は、第１方向Ｄ１における第１面１０ａの位置と、第１方向Ｄ１における第２面１０ｂの位置と、の間にある。第１方向Ｄ１は、例えば、Ｘ軸方向である。
【００６３】
第３面１０ｃと第１面１０ａとの間の角度は、５度以上８５度以下である。この角度は、例えば、２０度以上６０度以下でも良い。
【００６４】
第１面１０ａのＺ軸方向における位置と、第２面１０ｂのＺ軸方向における位置と、のＺ軸方向における差は、例えば、０．５μｍ以上２μｍ以下である。
【００６５】
図４に示すように、第１層１０の上に、Ａｌｘ２Ｇａ１−ｘ２Ｎ（０≦ｘ２＜１、ｘ２＜ｘ１）を含む第２層２０を形成する。
【００６６】
さらに、第２層２０の上に、Ａｌｘ３Ｇａ１−ｘ３Ｎ（０＜ｘ３＜１、ｘ２＜ｘ３）を含む第３層３０を形成する。
【００６７】
図５に示すように、第３層３０の一部の上に絶縁層４０を形成する。第３層３０のその一部は、第１面１０ａと交差する第２方向Ｄ２（Ｚ軸方向）において第３面１０ｃと重なる。
【００６８】
さらに、第１電極５１、第２電極５２及び第３電極５３を形成する。第１電極５１は、第２方向Ｄ２（Ｚ軸方向）において、第１面１０ａと重なる。第１電極５１は、第３層３０の別の一部と電気的に接続される。第２電極５２は、第２方向Ｄ２において、第２面１０ｂと重なる。第２電極５２は、第３層３０のさらに別の一部と電気的に接続される。第３電極は、絶縁層４０の上に位置する。  
このようにして、半導体装置１１０が形成される。
【００６９】
第１電極５１、第２電極５２及び第３電極５３の形成の順序は任意である。これらの電極の少なくとも２つが同時に形成されても良い。
【００７０】
これらの電極の形成の後に、さらに、配線が形成されても良い。配線は、上記の電極の少なくとも１つと電気的に接続される。配線は、層間絶縁膜含む多層構造を有しても良い。配線の一部は、フィールドプレート構造を有しても良い。例えば、半導体装置の一部における局所的な電界集中が緩和される。例えば、傾斜面のゲート部、または、段差部に対応したフィールドプレート構造が設けられても良い。
【００７１】
上記の図２に関して説明した工程において、第１膜１０ｆは、基板６０ｓの上に設けられたバッファ層１０Ｂ（図１参照）の上に形成されても良い。バッファ層１０Ｂは、ＡｌＮまたはＡｌＧａＮなどを含む。バッファ層１０Ｂは、高耐圧のバッファ層である。
【００７２】
第１膜１０ｆ（及びバッファ層１０Ｂ）、及び、第２層２０及び第３層３０の形成においては、例えば、ＭＯＣＶＤ装置が用いられる。
【００７３】
第１膜１０ｆ（またはバッファ層１０Ｂ）は、例えば、ＡｌＮ／ＡｌＧａＮを含む超格子層、及び、ＡｌＮ／ＧａＮを含む超格子層の少なくともいずれかを含んでも良い。バッファ層１０Ｂは、炭素を含んでも良い。これにより、耐圧が向上する。バッファ層１０Ｂにおける炭素の濃度は、例えば、１０×１０１８ｃｍ−３以上である。第１膜１０ｆ（またはバッファ層１０Ｂ）の厚さは、例えば、１μｍ以上である。
【００７４】
図２に例示したマスク層６２は、例えば、ＳｉＯ２またはＳｉＮなどを含んでも良い。
【００７５】
図３に示した工程において、マスク層６２をマスクとして用いたエッチングが行われる。エッチングにおいて、例えば、Ｃｌ２及びＢＣｌ３の少なくともいずれかを含むガスによるＲＩＥが実施されても良い。エッチングにおいては、例えば、ＫＯＨ、ＴＭＡＨ、及び、リン酸の少なくともいずれかを用いたウェットエッチングが行われても良い。マスク層６２の材質、マスク層６２の端部の形状、及び、エッチング条件などによって、第１層１０の傾斜面（第３面１０ｃ）の角度を制御することができる。
【００７６】
実施形態において、第３面１０ｃの傾斜は、エッチングではなく、再成長により形成されても良い。例えば、第１膜１０ｆの上に、所定の形状を有する選択成長マスク層（マスク層６２でも良い）が設けられる。選択成長マスク層により覆われた部分では、窒化物半導体膜は成長しない。選択成長マスク層により覆われていない部分において、窒化物半導体膜が成長する。この場合、成長温度、及び、ガス比の少なくともいずれかを含む再成長条件によって、傾斜面の角度を制御可能である。
【００７７】
再成長により、例えば、（１０−１２）面、（１１−２２）面、または、（２０２−１）面などのファセット面の結晶面が形成される。これらのファセット面は、Ｘ−Ｙ平面（例えばｃ面）に対して傾斜する。
【００７８】
このように、傾斜面（第３面１０ｃ）の形成には、エッチングによる形成、及び、ファセット面による再成長の少なくともいずれかが適用されても良い。
【００７９】
エッチングによる傾斜面の形成においては、工程が簡単である。エッチングによる傾斜面の形成では、例えば、エッチングによる結晶へのダメージまたは不純物の導入などが生じる可能性がある。
【００８０】
ファセット面による再成長においては、ダメージまたは不純物の導入が抑制される。ファセット面による再成長においては、工程が複雑である。ファセット面による再成長においては、条件の適正化により、傾斜面の角度を精度良く制御される。
【００８１】
図４に関して説明した、第２層２０の形成及び第３層３０の形成において、傾斜面（第３面１０ｃ）と重なる領域（第３部分領域ｐ３及び第６部分領域ｐ６：図１参照）の厚さが、他の部分よりも薄くなり易い。例えば、単位面積当たりの原料供給速度が同じとする。このとき、水平面の表面積よりも、傾斜面の表面積は広い。このため、傾斜面においては、積層方向（成長方向）の成長速度が遅くなる。一方、水平面であるｃ面上では、ｃ面から傾斜した傾斜面よりも、成長速度が速い。成長速度において、結晶面方位依存性が生じる。これらにより、傾斜面上における成長速度が、水平面上における成長速度よりも遅くなり易い。
【００８２】
絶縁層４０の形成の後に、窒素中または酸素中での熱処理（例えばアニール）を行っても良い。絶縁層４０中の不純物の濃度が低減する。例えば、改質などが行われる。
【００８３】
図６は、第１実施形態に係る別の半導体装置を例示する模式的断面図である。  
図６に示すように、第１実施形態に係る別の半導体装置１１１おいては、第２厚さｔ２は、第１厚さｔ１よりも厚い。半導体装置１１１におけるこれ以外の構成は、半導体装置１１０の構成と同じである。半導体装置１１１においても、高いしきい値が得られる。
【００８４】
図７〜図１０は、第１実施形態に係る別の半導体装置の製造方法を例示する模式的断面図である。  
図７に示すように、基板６０ｓの上に設けられた第１膜１０ｆの上に、低Ａｌ濃度部分膜２０Ｐを形成する。第１膜１０ｆは、Ａｌｘ１Ｇａ１−ｘ１Ｎ（０＜ｘ１＜１）、及び、ｐ形のＡｌｚ１Ｇａ１−ｚ１Ｎ（０≦ｚ１＜１）のいずれかを含む。低Ａｌ濃度部分膜２０Ｐ、例えば、ＡｌαＧａ１−αＮ（０＜α＜１、α＜ｘ１）を含む。例えば、第１膜１０ｆはＡｌＧａＮ膜であり、低Ａｌ濃度部分膜２０ＰはＧａＮ膜である。
【００８５】
低Ａｌ濃度部分膜２０Ｐの一部の上に、マスク層６２を形成する。マスク層６２は、傾斜面６２ｔを有する。傾斜面６２ｔは、第１膜１０ｆの上面１０ｆｕに対して傾斜している。
【００８６】
図８に示すように、マスク層６２をマスクとして用いて、低Ａｌ濃度部分膜２０Ｐの一部、及び、第１膜１０ｆの一部を除去する。これにより、第１層１０が得られる。第１層１０は、第１面１０ａ、第２面１０ｂ及び第３面１０ｃを含む。第３面１０ｃは、Ｘ−Ｙ平面に対して傾斜する。このとき、低Ａｌ濃度部分膜２０Ｐにも傾斜面が形成される。
【００８７】
図９に示すように、第１層１０の上、及び、傾斜面が形成された低Ａｌ濃度部分膜２０Ｐの上に、Ａｌｘ２Ｇａ１−ｘ２Ｎ（０≦ｘ２＜１、ｘ２＜ｘ１）を含む膜を形成する。低Ａｌ濃度部分膜２０Ｐ及びこの膜が、第２層２０となる。第２面１０ｂの上において、第２層２０は、局所的に厚くなる。
【００８８】
さらに、第２層２０の上に、Ａｌｘ３Ｇａ１−ｘ３Ｎ（０＜ｘ３＜１、ｘ２＜ｘ３）を含む第３層３０を形成する。
【００８９】
図１０に示すように、絶縁層４０、第１電極５１、第２電極５２及び第３電極５３を形成して、半導体装置１１１が形成される。
【００９０】
（第２実施形態）  
図１１は、第２実施形態に係る半導体装置を例示する模式的断面図である。  
図１１に示すように、第２実施形態に係る半導体装置１１２も、第１電極５１、第２電極５２、第３電極５３、第１層１０、第２層２０、第３層３０及び絶縁層４０を含む。半導体装置１１２においては、第１層１０は、第１半導体領域１１、第２半導体領域１２及び第３半導体領域１３を含む。半導体装置１１２におけるこれ以外の構成は、半導体装置１１０と同様である。
【００９１】
第１層１０において、第１半導体領域１１は、Ａｌｙ１Ｇａ１−ｙ１Ｎ（０＜ｙ１＜１）及びｐ形のＡｌｚ１Ｇａ１−ｚ１Ｎ（０≦ｚ１＜１）のいずれかを含む。第２半導体領域１２は、Ａｌｙ２Ｇａ１−ｙ２Ｎ（０＜ｙ２＜１）及びｐ形のＡｌｚ２Ｇａ１−ｚ２Ｎ（０≦ｚ２＜１）のいずれかを含む。第３半導体領域１３は、Ａｌｙ３Ｇａ１−ｙ３Ｎ（０≦ｙ３＜１、ｙ３＜ｙ１、ｙ３＜ｙ２）を含む。
【００９２】
例えば、第１半導体領域１１及び第２半導体領域１２は、ＡｌＧａＮである。例えば、第３半導体領域１３は、ＧａＮである。第１半導体領域１１及び第２半導体領域１２は、例えば、バックバリア層として機能する。
【００９３】
第１半導体領域１１の一部と、第２半導体領域１２と、の間に、第３半導体領域１３の一部が位置する。
【００９４】
例えば、第２方向Ｄ２は、第１方向Ｄ１（例えばＸ軸方向）と交差する。第２方向Ｄ２は、Ｚ軸方向である。
【００９５】
例えば、第２半導体領域１２の少なくとも一部は、第２方向Ｄ２（例えば、Ｚ軸方向）において、第２電極５２と、第１半導体領域１１の一部１１ｐと、の間に位置する。
【００９６】
第３半導体領域１３の一部１３ｐは、第２方向Ｄ２において、第１半導体領域１１のその一部１１ｐと、第２半導体領域１２の上記の少なくとも一部と、の間に位置する。
【００９７】
第３半導体領域１３の別の一部１３ｑは、第２方向Ｄ２において、第３電極５３と、第１半導体領域１１の別の一部１１ｑと、の間に位置する。
【００９８】
第１半導体領域１１は、第１面１０ａを含む。第１面１０ａは、第２方向Ｄ２において、第１電極５１から離れる。第２半導体領域１２は、第２面１０ｂを含む。第２面１０ｂは、第２方向Ｄ２において第２電極５２から離れる。第２面１０ｂは、第１面１０ａが含まれる第１平面ＰＬ１（例えばＸ−Ｙ平面）に沿う。第３半導体領域１３は、第３面１０ｃを含む。第３面１０ｃは、第２方向Ｄ２において、第３電極５３から離れる。第３面１０ｃは、第１平面ＰＬ１に対して傾斜する。
【００９９】
第２層２０は、既に説明した、第１部分領域ｐ１、第２部分領域ｐ２及び第３部分領域ｐ３を含む。第２層２０は、Ａｌｘ２Ｇａ１−ｘ２Ｎ（０≦ｘ２＜１、ｘ２＜ｙ１、ｘ２＜ｙ２）を含む。
【０１００】
第３層３０は、既に説明した、第４部分領域ｐ４、第５部分領域ｐ５及び第６部分領域ｐ６を含む。第３層３０は、Ａｌｘ３Ｇａ１−ｘ３Ｎ（０＜ｘ３＜１、ｘ２＜ｘ３、ｙ３＜ｘ３）を含む。
【０１０１】
この例においても、絶縁層４０は、第２方向Ｄ２において、第３電極５３と第６部分領域ｐ６との間に設けられる。
【０１０２】
半導体装置１１２においても、第３面１０ｃと第３電極５３との間の領域において、分極が弱まる。これにより、高いしきい値が得られる。
【０１０３】
第１電極５１の近傍、及び、第２電極５２の近傍では、強い分極が作用する。これにより、抵抗が低くなる。高いしきい値とともに、低いオン抵抗が得られる。良好な特性のノーマリーオフ特性（高いしきい値）と、低いオン抵抗と、が得られる。
【０１０４】
半導体装置１１２においても、例えば、第３厚さｔ３は、第１厚さｔ１よりも薄い。第３厚さｔ３は、第２厚さｔ２よりも薄い。しきい値がより高くなる。
【０１０５】
半導体装置１１２において、半導体装置１１０または半導体装置１１１に関して説明した種々の構成が適用されても良い。
【０１０６】
以下、半導体装置１１２の製造方法の例について説明する。
【０１０７】
図１２〜図１５は、第２実施形態に係る別の半導体装置の製造方法を例示する模式的断面図である。  
図１２に示すように、基板６０ｓ（例えばシリコン基板）の上に、積層膜１５を形成する。積層膜１５は、第１半導体膜１５ａ、第２半導体膜１５ｂ、第３半導体膜１５ｃ及び第４半導体膜１５ｄを含む。
【０１０８】
第１半導体膜１５ａは、Ａｌｙ１Ｇａ１−ｙ１Ｎ（０＜ｙ１＜１）及びｐ形のＡｌｚ１Ｇａ１−ｚ１Ｎ（０≦ｚ１＜１）のいずれかを含む。第２半導体膜１５ｂは、Ａｌｙ２Ｇａ１−ｙ２Ｎ（０＜ｙ２＜１）及びｐ形のＡｌｚ２Ｇａ１−ｚ２Ｎ（０≦ｚ２＜１）のいずれかを含む。第３半導体膜１５ｃは、Ａｌｙ３Ｇａ１−ｙ３Ｎ（０≦ｙ３＜１、ｙ３＜ｙ１、ｙ３＜ｙ２）を含む。第４半導体膜１５ｄは、Ａｌｙ４Ｇａ１−ｙ４Ｎ（０≦ｙ４＜１、ｙ４＜ｙ１、ｙ４＜ｙ２）を含む。
【０１０９】
第１半導体膜１５ａ及び第２半導体膜１５ｂは、例えば、ＡｌＧａＮである。または、第１半導体膜１５ａ及び第２半導体膜１５ｂは、例えば、ｐ形のＧａＮでも良い。第３半導体膜１５ｃ及び第４半導体膜１５ｄは、例えば、ＧａＮである。
【０１１０】
例えば、基板６０ｓの上に第１半導体膜１５ａがある。第１半導体膜１５ａの上に第３半導体膜１５ｃがある。第３半導体膜１５ｃの上に第２半導体膜１５ｂがある。第２半導体膜１５ｂの上に第４半導体膜１５ｄがある。このような積層膜１５の一部の上にマスク層６２が設けられる。マスク層６２は、傾斜面６２ｔを有する。傾斜面６２ｔは、Ｘ−Ｙ平面に対して傾斜している。
【０１１１】
マスク層６２を用いたエッチングを行うことで、第４半導体膜１５ｄの一部、及び、第２半導体膜１５ｂの一部を除去する。
【０１１２】
これにより、図１３に示すように、第３半導体膜１５ｃの一部１５ｃｐが露出する。これにより、以下の構造が形成される。第１半導体膜１５ａは、第１面１０ａを含む。第２半導体膜１５ｂの残った部分は、第２面１０ｂ及び第３面１０ｃを含む。第１面１０ａに沿う第１方向Ｄ１における第３面１０ｃの位置は、第１方向Ｄ１における第１面１０ａの位置と、第１方向Ｄ１における第２面１０ｂの位置と、の間にある。第１方向Ｄ１と交差する第２方向Ｄ２において、第１面１０ａは、第３半導体膜１５ｃの上記の一部１５ｃｐと重なる。第２面１０ｂは、第１面１０ａが含まれる第１平面ＰＬ１に沿う。第３面１０ｃは、第１平面ＰＬ１に対して傾斜する。第３面１０ｃは、第１面１０ａに対して傾斜し、第２面１０ｂに対して傾斜する。
【０１１３】
第１面１０ａ、第３面１０ｃ、及び、第４半導体膜１５ｄの残った部分の上に、第２部分層２０Ｆを形成する。第２部分層２０Ｆは、Ａｌｘ２Ｇａ１−ｘ２Ｎ（０≦ｘ２＜１、ｘ２＜ｙ１、ｘ２＜ｙ２）を含む。第２部分層２０Ｆは、例えば、ＧａＮ層である。第２部分層２０Ｆと、第４半導体膜１５ｄの残った部分と、が、第２層２０となる。
【０１１４】
さらに、第２部分層２０Ｆの上に、第３層３０を形成する。第３層３０は、Ａｌｘ３Ｇａ１−ｘ３Ｎ（０＜ｘ３＜１、ｘ２＜ｘ３）を含む。
【０１１５】
図１５に示すように、第３層３０の一部の上に絶縁層４０を形成する。第３層３０のその一部は、第２方向Ｄ２（Ｚ軸方向）において、第３面１０ｃと重なる。第１電極５１、第２電極５２及び第３電極５３を形成する。
【０１１６】
これにより、半導体装置１１２が形成される。
【０１１７】
第１半導体膜１５ａの少なくとも一部が、第１半導体領域１１（図１１参照）となる。第２半導体膜１５ｂの残った部分の少なくとも一部が、第２半導体領域１２（図１１参照）となる。第３半導体膜１５ｃの少なくとも一部が、第３半導体領域１３（図１１参照）となる。第４半導体膜１５ｄの残った部分が、第２層２０の一部となる。
【０１１８】
（第３実施形態）  
図１６は、第３実施形態に係る半導体装置を例示する模式的断面図である。  
図１６に示すように、第３実施形態に係る半導体装置１１３も、第１電極５１、第２電極５２、第３電極５３、第１層１０、第２層２０、第３層３０及び絶縁層４０を含む。半導体装置１１３においては、第１層１０は、第１半導体領域１１及び第２半導体領域１２を含む。半導体装置１１３におけるこれ以外の構成は、半導体装置１１０と同様である。
【０１１９】
第１層１０において、第１半導体領域１１は、Ａｌｙ１Ｇａ１−ｙ１Ｎ（０＜ｙ１＜１）及びｐ形のＡｌｚ１Ｇａ１−ｚ１Ｎ（０≦ｚ１＜１）のいずれかを含む。第２半導体領域１２は、Ａｌｙ２Ｇａ１−ｙ２Ｎ（０＜ｙ２＜１）及びｐ形のＡｌｚ２Ｇａ１−ｚ２Ｎ（０≦ｚ２＜１）のいずれかを含む。第１半導体領域１１及び第２半導体領域１２は、例えば、ＡｌＧａＮを含む。または、第１半導体領域１１及び第２半導体領域１２は、ｐ形のＧａＮを含んでも良い。
【０１２０】
第２半導体領域１２の一部は、第２方向Ｄ２において、第２電極５２と、第１半導体領域１１の一部１１ｐと、の間に位置する。第２方向Ｄ２は、第１方向Ｄ１（Ｘ軸方向）と交差する。第２方向Ｄ２は、例えば、Ｚ軸方向である。
【０１２１】
第２半導体領域１２の別の一部１２ｑは、第２方向Ｄ２において、第３電極５３と第１半導体領域１１の別の一部１１ｑとの間に位置する。
【０１２２】
第１半導体領域１１は、第１面１０ａを含む。第１面１０ａは、第２方向Ｄ２において、第１電極５１から離れる。
【０１２３】
第２半導体領域１２の上記の一部１２ｐは、第２面１０ｂを含む。第２面１０ｂは、第２方向Ｄ２において第２電極５２から離れる。第２面１０ｂは、第１面１０ａが含まれる第１平面ＰＬ１（例えばＸ−Ｙ平面）に沿う。
【０１２４】
第２半導体領域１２の上記の別の一部１２ｑは、第３面１０ｃを含む。第３面１０ｃは、第２方向Ｄ２において、第３電極５３から離れる。第３面１０ｃは、第１平面ＰＬ１に対して傾斜する。第３面１０ｃは、第１面１０ａ及び第２面１０ｂに対して傾斜する。
【０１２５】
第２層２０は、Ａｌｘ２Ｇａ１−ｘ２Ｎ（０≦ｘ２＜１、ｘ２＜ｙ１、ｘ２＜ｙ２）を含む。第２層２０は、例えば、ＧａＮ層である。第２層２０は、既に説明した、第１部分領域ｐ１、第２部分領域ｐ２及び第３部分領域ｐ３を含む。
【０１２６】
第３層３０は、Ａｌｘ３Ｇａ１−ｘ３Ｎ（０＜ｘ３＜１、ｘ２＜ｘ３）を含む。第３層３０は、例えばＡｌＧａＮ層である。第３層３０は、既に説明した、第４部分領域ｐ４、第５部分領域ｐ５及び第６部分領域ｐ６を含む。
【０１２７】
この例においても、絶縁層４０は、第２方向Ｄ２において第３電極５３と第６部分領域ｐ６との間に設けられる。
【０１２８】
半導体装置１１３においても、第３面１０ｃと第３電極５３との間の領域において、分極が弱まる。これにより、高いしきい値が得られる。
【０１２９】
第１電極５１の近傍、及び、第２電極５２の近傍では、強い分極が作用する。これにより、抵抗が低くなる。高いしきい値とともに、低いオン抵抗が得られる。良好な特性のノーマリーオフ特性（高いしきい値）と、低いオン抵抗と、が得られる。
【０１３０】
半導体装置１１３においても、例えば、第３厚さｔ３は、第１厚さｔ１よりも薄い。第３厚さｔ３は、第２厚さｔ２よりも薄い。しきい値がより高くなる。
【０１３１】
図１６に示すように、この例では、第２層２０の一部２０ｐは、第２方向Ｄ２において第３電極５３と重なっている。第３面１０ｃは、第２方向Ｄ２において、第３電極５３と、第２層２０のこの一部２０ｐと、の間に位置している。このような構成においても、高いしきい値が得られる。
【０１３２】
第２層２０の一部２０ｐの表面は、Ｘ−Ｙ平面に対して傾斜している。この傾斜方向は、第３面１０ｃの傾斜方向とは逆である。
【０１３３】
半導体装置１１３において、半導体装置１１０、半導体装置１１１または半導体装置１１２に関して説明した種々の構成が適用されても良い。
【０１３４】
以下、半導体装置１１３の製造方法の例について説明する。
【０１３５】
図１７〜図２０は、第３実施形態に係る別の半導体装置の製造方法を例示する模式的断面図である。  
図１７に示すように、基板６０ｓ（例えばシリコン基板）の上に、積層膜１６を形成する。積層膜１６は、第１半導体膜１６ａと、第１低Ａｌ濃度膜１６Ｌと、を含む。基板６０ｓの上に、第１半導体膜１６ａを形成し、その上に、第１低Ａｌ濃度膜１６Ｌを形成する。第１低Ａｌ濃度膜１６Ｌの一部の上に、ハードマスク６１を形成し、その上に、マスク層６２（例えばレジストマスク）を形成する。マスク層６２を用いて、ハードマスク６１を加工し、さらに、第１低Ａｌ濃度膜１６Ｌの一部を除去する。これにより、積層膜１６が形成される。
【０１３６】
積層膜１６において、第１半導体膜１６ａは、Ａｌｙ１Ｇａ１−ｙ１Ｎ（０＜ｙ１＜１）及びｐ形のＡｌｚ１Ｇａ１−ｚ１Ｎ（０≦ｚ１＜１）のいずれかを含む。第１半導体膜１６ａは、例えば、ＡｌＧａＮ層またはｐ形ＧａＮ層である。
【０１３７】
第１半導体膜１６ａは、第１部分１６ａｐ及び第２部分１６ａｑを含む。第１部分１６ａｐから第２部分１６ａｑに向かう方向は、第１方向Ｄ１（例えば、Ｘ軸方向）に沿う。
【０１３８】
積層膜１６において、第１低Ａｌ濃度膜１６Ｌは、Ａｌｙ５Ｇａ１−ｙ５Ｎ（０≦ｙ５＜１、ｙ５＜ｙ１）を含む。第１低Ａｌ濃度膜１６Ｌは、例えば、ＧａＮ層である。第１低Ａｌ濃度膜１６Ｌは、第１部分１６ａｐの第１面１０ａの上に設けられる。第１面１０ａは、Ｘ−Ｙ平面に沿う。
【０１３９】
図１８に示すように、積層膜１６の第２部分１６ａｑの上に、第２半導体膜１６ｂを形成する。第２半導体膜１６ｂは、Ａｌｙ２Ｇａ１−ｙ２Ｎ（０＜ｙ２＜１、ｙ５＜ｙ２）及びｐ形のＡｌｚ２Ｇａ１−ｚ２Ｎ（０≦ｚ２＜１）のいずれかを含む。第２半導体膜１６ｂは、例えば、ＡｌＧａＮ層またはｐ形ＧａＮ層である。
【０１４０】
第２半導体膜１６ｂは、第２面１０ｂ及び第３面１０ｃを含む。第２面１０ｂは、第１面１０ａが含まれる第１平面ＰＬ１（例えばＸ−Ｙ平面）に沿う。第３面１０ｃは、第１平面ＰＬ１に対して傾斜する。第３面１０ｃは、第１面１０ａに対して傾斜し、第２面１０ｂに対して傾斜する。
【０１４１】
第１面１０ａに沿う第１方向Ｄ１（例えばＸ軸方向）における第３面１０ｃの位置は、第１方向Ｄ１における第１面１０ａの位置と、第１方向Ｄ１における第２面１０ｂの位置と、の間にある。
【０１４２】
さらに、第２面１０ｂの上に、第２低Ａｌ濃度膜１６Ｍを形成する。第２低Ａｌ濃度膜１６Ｍは、Ａｌｙ３Ｇａ１−ｙ３Ｎ（０≦ｙ３＜１、ｙ３＜ｙ１、ｙ３＜ｙ２）を含む。第２低Ａｌ濃度膜１６Ｍは、例えば、ＧａＮ層である。
【０１４３】
図１９に示すように、第１低Ａｌ濃度膜１６Ｌ、第３面１０ｃ、及び、第２低Ａｌ濃度膜１６Ｍの上に、第２部分層２０Ｆを形成する。第２部分層２０Ｆは、Ａｌｘ２Ｇａ１−ｘ２Ｎ（０≦ｘ２＜１、ｘ２＜ｙ１、ｘ２＜ｙ２）を含む。第２部分層２０Ｆは、例えば、ＧａＮ層である。第２部分層２０Ｆ、第１低Ａｌ濃度膜１６Ｌの少なくとも一部、及び、第２低Ａｌ濃度膜１６Ｍの少なくとも一部が、第２層２０となる。
【０１４４】
さらに、第２部分層２０Ｆの上に、Ａｌｘ３Ｇａ１−ｘ３Ｎ（０＜ｘ３＜１、ｘ２＜ｘ３）を含む第３層３０を形成する。
【０１４５】
図２０に示すように、第３層３０の一部の上に絶縁層４０を形成する。第３層３０のこの一部は、第２方向Ｄ２（Ｚ軸方向）において第３面１０ｃと重なる。第１電極５１、第２電極５２及び第３電極５３を形成する。
【０１４６】
これにより、半導体装置１１３が形成される。
【０１４７】
第１半導体膜１６ａの少なくとも一部が、第１半導体領域１１（図１１参照）となる。第２半導体膜１６ｂの少なくとも一部が、第２半導体領域１２（図１２参照）となる。
【０１４８】
図２１〜図２４は、実施形態に係る別の半導体装置を例示する模式的断面図である。  
図２１〜図２４に示すように、半導体装置１１０ａ〜１１３ａにおいては、第１電極５１と第３電極５３との間の第１方向Ｄ１に沿った第１距離ｄ１は、第２電極５２と第３電極５３との間の第１方向Ｄ１に沿った第２距離ｄ２よりも長い。半導体装置１１０ａ〜１１３ａにおけるこれ以外の構成は、半導体装置１１０〜１１３と同様である。半導体装置１１０ａ〜１１３ａにおいても、高いしきい値を得ることができる。
【０１４９】
半導体装置１１０〜１１３においては、第１電極５１は、第１方向Ｄ１（Ｘ軸方向）において、第３層３０の少なくとも一部と重なる。実施形態において、第１電極５１と第２電極５２とを入れ変えても良い。この場合、第２電極５２は、第１方向Ｄ１において第３層３０の少なくとも一部と重なる。
【０１５０】
半導体装置１１０〜１１３及び１１０ａ〜１１３ａにおいては、基板６０ｓを規準にしたときに、第１電極５１の下面の位置は、第２電極５２の下面の位置とは異なる。例えば、基板６０ｓと第１面１０ａとの間の第２方向Ｄ２（Ｚ軸方向）に沿う距離は、基板６０ｓと第２面１０ｂとの間の第２方向Ｄ２（Ｚ軸方向）に沿う距離とは異なる。例えば、第２方向Ｄ２における第３面１０ｃの位置は、第２方向Ｄ２における第１面１０ａの位置と、第２方向Ｄ２における第２面１０ｂの位置と、の間にある。
【０１５１】
例えば、このような構造の形成においては、高い精度が比較的得やすい。安定した特性が得やすい。
【０１５２】
（第４実施形態）  
図２５は、第４実施形態に係る半導体装置を例示する模式的断面図である。  
図２５に示すように、第４実施形態に係る半導体装置１２０も、第１電極５１、第２電極５２、第３電極５３、第１層１０、第２層２０、第３層３０及び絶縁層４０を含む。半導体装置１２０においては、第１層１０は、第１面１０ａ、第２面１０ｂ及び第３面１０ｃに加えて、第４面１０ｄを含む。半導体装置１２０におけるこれ以外の構成は、半導体装置１１０と同様である。
【０１５３】
この例においても、第１層１０は、Ａｌｘ１Ｇａ１−ｘ１Ｎ（０＜ｘ１＜１）、及び、ｐ形のＡｌｚ１Ｇａ１−ｚ１Ｎ（０≦ｚ１＜１）のいずれかを含む。第２層２０は、Ａｌｘ２Ｇａ１−ｘ２Ｎ（０≦ｘ２＜１、ｘ２＜ｘ１）を含む。第３層３０は、Ａｌｘ３Ｇａ１−ｘ３Ｎ（０＜ｘ３＜１、ｘ２＜ｘ３）を含む。
【０１５４】
第４面１０ｄは、第１面１０ａ（または第１平面ＰＬ１）に対して傾斜している。第４面１０ｄは、第３面１０ｃと交差する。例えば、第１方向Ｄ１（Ｘ軸方向）における第４面１０ｄの位置は、第１方向Ｄ１における第１面１０ａの位置と、第１方向Ｄ１における第３面１０ｃの位置と、の間にある。第４面１０ｄは、第１面１０ａと連続し、第３面１０ｃと連続する。第３面１０ｃ及び第４面１０ｄは、第１層１０における凹面である。
【０１５５】
第２層２０の第３部分領域ｐ３は、第３電極５３と第３面１０ｃとの間、及び、第３電極５３と第４面１０ｄとの間にある。この場合も、第３層３０の第６部分領域ｐ６は、第３電極５３と第３部分領域ｐ３との間にある。
【０１５６】
第３部分領域ｐ３は、第１方向Ｄ１（Ｘ軸方向）において、第１層１０に含まれる２つの部分の間にある。
【０１５７】
半導体装置１２０においても、第３面１０ｃと第３電極５３との間の領域、及び、第４面１０ｄと第３電極５３との間において、分極が弱まる。これにより、高いしきい値が得られる。
【０１５８】
例えば、第３面１０ｃと第４面１０ｄとの境界部分は、第２層２０及び第３層３０が大きく曲がる。しきい値がより高くなり易い。
【０１５９】
第１電極５１の近傍、及び、第２電極５２の近傍では、強い分極が作用する。これにより、抵抗が低くなる。高いしきい値とともに、低いオン抵抗が得られる。良好な特性のノーマリーオフ特性（高いしきい値）と、低いオン抵抗と、が得られる。
【０１６０】
図２６〜図２９は、第４実施形態に係る半導体装置の製造方法を例示する模式的断面図である。  
図２６に示すように、基板６０ｓ（例えばシリコン基板）の上に、第１層１０となる第１膜１０ｆを形成し、その上に、マスク層６２を形成する。マスク層６２の開口部において、第１膜１０ｆを除去して凹部１０Ｄを形成する。凹部１０Ｄは、傾斜面を有する。これにより、第１層１０が得られる。
【０１６１】
図２７に示すように、第１層１０は、第１面１０ａ、第２面１０ｂ、第３面１０ａ及び第４面１０ｄを含む。
【０１６２】
図２８に示すように、第２層２０及び第３層３０を形成する。
【０１６３】
図２９に示すように、絶縁層４０、第１電極５１、第２電極５２及び第３電極５３を形成する。これにより、半導体装置１２０が得られる。
【０１６４】
図３０は、第４実施形態に係る別の半導体装置を例示する模式的断面図である。  
図３０に示すように、第４実施形態に係る別の半導体装置１２１も、第１電極５１、第２電極５２、第３電極５３、第１層１０、第２層２０、第３層３０及び絶縁層４０を含む。半導体装置１２１においては、第１層１０は、第１面１０ａ、第２面１０ｂ、第３面１０ｃ及び第４面１０ｄを含む。半導体装置１２１においては、第２層２０は、第１低Ａｌ濃度膜１６Ｌ及び第２低Ａｌ濃度膜１６Ｍを含む。半導体装置１２１におけるこれ以外の構成は、半導体装置１２０と同様である。
【０１６５】
この例においても、第１層１０は、Ａｌｘ１Ｇａ１−ｘ１Ｎ（０＜ｘ１＜１）、及び、ｐ形のＡｌｚ１Ｇａ１−ｚ１Ｎ（０≦ｚ１＜１）のいずれかを含む。第２層２０は、Ａｌｘ２Ｇａ１−ｘ２Ｎ（０≦ｘ２＜１、ｘ２＜ｘ１）を含む。第３層３０は、Ａｌｘ３Ｇａ１−ｘ３Ｎ（０＜ｘ３＜１、ｘ２＜ｘ３）を含む。
【０１６６】
第１低Ａｌ濃度膜１６Ｌは、例えば、Ａｌｘ２１Ｇａ１−ｘ２１Ｎ（０≦ｘ２１＜１、ｘ２１＜ｘ１）を含む。第２低Ａｌ濃度膜１６Ｍは、Ａｌｘ２２Ｇａ１−ｘ２２Ｎ（０≦ｘ２２＜１、ｘ２２＜ｘ１）を含む。第３層３０において、組成比ｘ３は、組成比ｘ２１よりも高く、組成比ｘ２２よりも高い。
【０１６７】
第２層２０において、第１部分領域ｐ１は、第１低Ａｌ濃度膜１６Ｌの一部及び第２低Ａｌ濃度膜１６Ｍの一部を含む。第２部分領域ｐ２は、第１低Ａｌ濃度膜１６Ｌの別の一部及び第２低Ａｌ濃度膜１６Ｍの別の一部を含む。第３部分領域ｐ３は、第２低Ａｌ濃度膜１６Ｍのさらに一部を含む。
【０１６８】
半導体装置１２１においても、分極が弱まり、高いしきい値が得られる。良好な特性のノーマリーオフ特性（高いしきい値）と、低いオン抵抗と、が得られる。
【０１６９】
図３１〜図３４は、第４実施形態に係る別の半導体装置の製造方法を例示する模式的断面図である。  
図３１に示すように、基板６０ｓ（例えばシリコン基板）の上に、第１層１０となる第１膜１０ｆを形成し、その上に第１低Ａｌ濃度膜１６Ｌとなる膜１６Ｌｆを形成し、その上に、マスク層６２を形成する。マスク層６２の開口部において、膜１６Ｌｆの一部及び第１膜１０ｆを除去して凹部１０Ｄを形成する。凹部１０Ｄは、傾斜面を有する。これにより、第１層１０及び第１低Ａｌ濃度膜１６Ｌが得られる。
【０１７０】
図３２に示すように、第１層１０は、第１面１０ａ、第２面１０ｂ、第３面１０ａ及び第４面１０ｄを含む。第１面１０ａの上に、第１低Ａｌ濃度膜１６Ｌの一部が残る。第２面１０ｂの上に、第１低Ａｌ濃度膜１６Ｌの別の一部が残る。
【０１７１】
図３３に示すように、第２低Ａｌ濃度膜１６Ｍ及び第３層３０を形成する。第１低Ａｌ濃度膜１６Ｌ及び第２低Ａｌ濃度膜１６Ｍが、第２層２０となる。
【０１７２】
図３４に示すように、絶縁層４０、第１電極５１、第２電極５２及び第３電極５３を形成する。これにより、半導体装置１２１が得られる。
【０１７３】
（第５実施形態）  
図３５は、第５実施形態に係る半導体装置を例示する模式的断面図である。  
図３５に示すように、第５実施形態に係る半導体装置１３０も、第１電極５１、第２電極５２、第３電極５３、第１層１０、第２層２０、第３層３０及び絶縁層４０を含む。半導体装置１３０においても、第１層１０は、第１面１０ａ、第２面１０ｂ、第３面１０ｃ及び第４面１０ｄを含む。半導体装置１３０において、第３面１０ｃ及び第４面１０ｄは、第１層１０における凸面である。半導体装置１３０におけるこれ以外の構成は、半導体装置１３０と同様である。
【０１７４】
半導体装置１３０においても、第３面１０ｃと第３電極５３との間の領域、及び、第４面１０ｄと第３電極５３との間において、分極が弱まる。これにより、高いしきい値が得られる。
【０１７５】
例えば、第３面１０ｃと第４面１０ｄとの境界部分は、第２層２０及び第３層３０が大きく曲がる。しきい値がより高くなり易い。
【０１７６】
第１電極５１の近傍、及び、第２電極５２の近傍では、強い分極が作用する。これにより、抵抗が低くなる。高いしきい値とともに、低いオン抵抗が得られる。良好な特性のノーマリーオフ特性（高いしきい値）と、低いオン抵抗と、が得られる。
【０１７７】
半導体装置１３０において、第１電極５１は、第１方向Ｄ１（Ｘ軸方向）において第３層３０の少なくとも一部と重なる。第２電極５２も、第１方向Ｄ１において第３層３０の少なくとも一部と重なる。
【０１７８】
図３６〜図３９は、第５実施形態に係る別の半導体装置の製造方法を例示する模式的断面図である。  
図３６に示すように、基板６０ｓ（例えばシリコン基板）の上に、第１層１０の一部となる第１膜１０ｆを形成し、その上に、マスク層６２を形成する。マスク層６２の開口部において、第１層１０の一部となる凸部膜１０Ｐｆを成長させる。凸部膜１０Ｐｆは、傾斜面を有する。第１膜１０ｆ及び凸部膜１０Ｐｆが、第１層１０となる。
【０１７９】
図３７示すように、第１層１０は、第１面１０ａ、第２面１０ｂ、第３面１０ａ及び第４面１０ｄを含む。
【０１８０】
図３８に示すように、第２層２０及び第３層３０を形成する。
【０１８１】
図３９に示すように、絶縁層４０、第１電極５１、第２電極５２及び第３電極５３を形成する。これにより、半導体装置１３０が得られる。
【０１８２】
図４０は、第５実施形態に係る別の半導体装置を例示する模式的断面図である。  
図４０に示すように、第４実施形態に係る別の半導体装置１３１も、第１電極５１、第２電極５２、第３電極５３、第１層１０、第２層２０、第３層３０及び絶縁層４０を含む。半導体装置１３１においては、第１層１０は、第１面１０ａ、第２面１０ｂ、第３面１０ｃ及び第４面１０ｄを含む。半導体装置１３１においては、第２層２０は、第１低Ａｌ濃度膜１６Ｌ及び第２低Ａｌ濃度膜１６Ｍを含む。半導体装置１３１におけるこれ以外の構成は、半導体装置１３０と同様である。
【０１８３】
この例においても、第１層１０は、Ａｌｘ１Ｇａ１−ｘ１Ｎ（０＜ｘ１＜１）、及び、ｐ形のＡｌｚ１Ｇａ１−ｚ１Ｎ（０≦ｚ１＜１）のいずれかを含む。第２層２０は、Ａｌｘ２Ｇａ１−ｘ２Ｎ（０≦ｘ２＜１、ｘ２＜ｘ１）を含む。第３層３０は、Ａｌｘ３Ｇａ１−ｘ３Ｎ（０＜ｘ３＜１、ｘ２＜ｘ３）を含む。
【０１８４】
第１低Ａｌ濃度膜１６Ｌは、例えば、Ａｌｘ２１Ｇａ１−ｘ２１Ｎ（０≦ｘ２１＜１、ｘ２１＜ｘ１）を含む。第２低Ａｌ濃度膜１６Ｍは、Ａｌｘ２２Ｇａ１−ｘ２２Ｎ（０≦ｘ２２＜１、ｘ２２＜ｘ１）を含む。第３層３０において、組成比ｘ３は、組成比ｘ２１よりも高く、組成比ｘ２２よりも高い。
【０１８５】
第２層２０において、第１部分領域ｐ１は、第１低Ａｌ濃度膜１６Ｌの一部及び第２低Ａｌ濃度膜１６Ｍの一部を含む。第２部分領域ｐ２は、第１低Ａｌ濃度膜１６Ｌの別の一部及び第２低Ａｌ濃度膜１６Ｍの別の一部を含む。第３部分領域ｐ３は、第２低Ａｌ濃度膜１６Ｍのさらに一部を含む。
【０１８６】
この例において、第１層１０の凸部１０Ｐに第３面１０ｃ及び第４面１０ｄが設けられる。この例において、第２方向Ｄ２（Ｚ軸方向）において、第１低Ａｌ濃度膜１６Ｌの一部と第３電極５３との間に、第３面１０ｃが位置する。第２方向Ｄ２において、第１低Ａｌ濃度膜１６Ｌの別の一部と第３電極５３との間に、第４面１０ｃが位置する。
【０１８７】
半導体装置１３１においても、分極が弱まり、高いしきい値が得られる。良好な特性のノーマリーオフ特性（高いしきい値）と、低いオン抵抗と、が得られる。
【０１８８】
半導体装置１３１において、第１電極５１は、第１方向Ｄ１（Ｘ軸方向）において第３層３０の少なくとも一部と重なる。第２電極５２も、第１方向Ｄ１において第３層３０の少なくとも一部と重なる。
【０１８９】
半導体装置１２０、１２１、１３０及び１３１においても、例えば、第３厚さｔ３は、第１厚さｔ１よりも薄い。第３厚さｔ３は、第２厚さｔ２よりも薄い。しきい値がより高くなる。
【０１９０】
実施形態によれば、高いしきい値を得ることができる半導体装置及びその製造方法が提供できる。
【０１９１】
本願明細書において、「垂直」及び「平行」は、厳密な垂直及び厳密な平行だけではなく、例えば製造工程におけるばらつきなどを含むものであり、実質的に垂直及び実質的に平行であれば良い。
【０１９２】
以上、具体例を参照しつつ、本発明の実施の形態について説明した。しかし、本発明は、これらの具体例に限定されるものではない。例えば、半導体装置に含まれる電極、層、半導体膜、絶縁層及び基板などの各要素の具体的な構成に関しては、当業者が公知の範囲から適宜選択することにより本発明を同様に実施し、同様の効果を得ることができる限り、本発明の範囲に包含される。
【０１９３】
また、各具体例のいずれか２つ以上の要素を技術的に可能な範囲で組み合わせたものも、本発明の要旨を包含する限り本発明の範囲に含まれる。
【０１９４】
その他、本発明の実施の形態として上述した半導体装置及びその製造方法を基にして、当業者が適宜設計変更して実施し得る全ての半導体装置及びその製造方法も、本発明の要旨を包含する限り、本発明の範囲に属する。
【０１９５】
その他、本発明の思想の範疇において、当業者であれば、各種の変更例及び修正例に想到し得るものであり、それら変更例及び修正例についても本発明の範囲に属するものと了解される。
【０１９６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１９７】
１０…第１層、  １０Ｂ…バッファ層、  １０Ｄ…凹部、  １０Ｐ…凸部、  １０Ｐｆ…凸部膜、  １０ａ…第１面、  １０ｂ…第２面、  １０ｃ…第３面、  １０ｄ…第４面、  １０ｆ…第１膜、  １０ｆｕ…上面、  １１…第１半導体領域、  １１ｐ…一部、  １１ｑ…一部、  １２…第２半導体領域、  １２ｐ…一部、  １２ｑ…一部、  １３…第３半導体領域、  １３ｐ…一部、  １３ｑ…一部、  １５…積層膜、  １５ａ〜１５ｄ…第１〜第４半導体膜、  １５ｃｐ…一部、  １６…積層膜、  １６Ｌ…第１低Ａｌ濃度膜、  １６Ｌｆ…膜、  １６Ｍ…第２低Ａｌ濃度膜、  １６ａ、１６ｂ…第１、第２半導体膜、  １６ａｐ…部分、  １６ａｑ…部分、  ２０…第２層、  ２０Ｆ…第２部分層、  ２０Ｐ…低Ａｌ濃度部分膜、  ２０ａ…第２層面、  ２０ｐ…一部、  ２２…２次元電子ガス、  ３０…第３層、  ３０ａ…第３層面、  ４０…絶縁層、  ４０ａ…第１絶縁層面、  ４０ｂ…第２絶縁層面、  ５１〜５３…第１〜第３電極、  ５３ａ…第３電極面、  ６０ｓ…基板、  ６１…ハードマスク、  ６２…マスク層、  ６２ｔ…傾斜面、  １１０、１１０ａ、１１１、１１１ａ、１１２、１１２ａ、１１３、１１３ａ、１２０、１２１、１３０、１３０１…半導体装置、  Ｄ１〜Ｄ３…第１〜第３方向、  ＰＬ１…第１平面、  ＰＬ３…第３平面、  ｄ１、ｄ２…第１、第２距離、  ｐ１〜ｐ６…第１〜第６部分領域、  ｔ１〜ｔ３…第１〜第３厚さ
【図１】
2020174202.tif 000003
【図２】
2020174202.tif 000004
【図３】
2020174202.tif 000005
【図４】
2020174202.tif 000006
【図５】
2020174202.tif 000007
【図６】
2020174202.tif 000008
【図７】
2020174202.tif 000009
【図８】
2020174202.tif 000010
【図９】
2020174202.tif 000011
【図１０】
2020174202.tif 000012
【図１１】
2020174202.tif 000013
【図１２】
2020174202.tif 000014
【図１３】
2020174202.tif 000015
【図１４】
2020174202.tif 000016
【図１５】
2020174202.tif 000017
【図１６】
2020174202.tif 000018
【図１７】
2020174202.tif 000019
【図１８】
2020174202.tif 000020
【図１９】
2020174202.tif 000021
【図２０】
2020174202.tif 000022
【図２１】
2020174202.tif 000023
【図２２】
2020174202.tif 000024
【図２３】
2020174202.tif 000025
【図２４】
2020174202.tif 000026
【図２５】
2020174202.tif 000027
【図２６】
2020174202.tif 000028
【図２７】
2020174202.tif 000029
【図２８】
2020174202.tif 000030
【図２９】
2020174202.tif 000031
【図３０】
2020174202.tif 000032
【図３１】
2020174202.tif 000033
【図３２】
2020174202.tif 000034
【図３３】
2020174202.tif 000035
【図３４】
2020174202.tif 000036
【図３５】
2020174202.tif 000037
【図３６】
2020174202.tif 000038
【図３７】
2020174202.tif 000039
【図３８】
2020174202.tif 000040
【図３９】
2020174202.tif 000041
【図４０】
2020174202.tif 000042
【手続補正書】
【提出日】令和2年7月8日(2020.7.8)
【手続補正１】
【補正対象書類名】明細書
【補正対象項目名】００５３
【補正方法】変更
【補正の内容】
【００５３】
実施形態において、第２層２０において、第１厚さｔ１は、例えば、１００ｎｍ以上５００ｎｍ以下である。第３層３０において、第４部分領域ｐ４の厚さ（第２方向Ｄ２（Ｚ軸方向））に沿う長さは、例えば、１０ｎｍ以上ｎ１００ｍ以下である。
例えば、第６部分領域ｐ６の厚さ（第３方向Ｄ３に沿う長さ）は、第４部分領域ｐ４の厚さ（第２方向Ｄ２に沿った長さ）よりも薄く、第５部分領域ｐ５の厚さ（第２方向Ｄ２に沿った長さ）よりも薄い。
【手続補正２】
【補正対象書類名】明細書
【補正対象項目名】００５７
【補正方法】変更
【補正の内容】
【００５７】
図１に示す例においては、第１電極５１と第３電極５３との間の第１方向Ｄ１（例えばＸ軸方向）に沿った第１距離ｄ１は、第２電極５２と第３電極５３との間の第１方向Ｄ１に沿った第２距離ｄ２よりも短い。１つの例において、第１距離ｄ１は約２μｍであり、第２距離ｄ２は約１５μｍである。このような長さの関係により、例えば、第１距離ｄ１側の電気抵抗を低くし、第２距離ｄ２側に高電界を印加することが可能となり、より好ましい。実施形態において、これらの距離の関係は逆でも良い。
【手続補正３】
【補正対象書類名】明細書
【補正対象項目名】００７０
【補正方法】変更
【補正の内容】
【００７０】
これらの電極の形成の後に、さらに、配線が形成されても良い。配線は、上記の電極の少なくとも１つと電気的に接続される。配線は、層間絶縁膜を含む多層構造を有しても良い。配線の一部は、フィールドプレート構造を有しても良い。例えば、半導体装置の一部における局所的な電界集中が緩和される。例えば、傾斜面のゲート部、または、段差部に対応したフィールドプレート構造が設けられても良い。
【手続補正４】
【補正対象書類名】明細書
【補正対象項目名】０１６１
【補正方法】変更
【補正の内容】
【０１６１】
図２７に示すように、第１層１０は、第１面１０ａ、第２面１０ｂ、第３面１０ｃ及び第４面１０ｄを含む。
【手続補正５】
【補正対象書類名】明細書
【補正対象項目名】０１７０
【補正方法】変更
【補正の内容】
【０１７０】
図３２に示すように、第１層１０は、第１面１０ａ、第２面１０ｂ、第３面１０ｃ及び第４面１０ｄを含む。第１面１０ａの上に、第１低Ａｌ濃度膜１６Ｌの一部が残る。第２面１０ｂの上に、第１低Ａｌ濃度膜１６Ｌの別の一部が残る。
【手続補正６】
【補正対象書類名】明細書
【補正対象項目名】０１７９
【補正方法】変更
【補正の内容】
【０１７９】
図３７示すように、第１層１０は、第１面１０ａ、第２面１０ｂ、第３面１０ｃ及び第４面１０ｄを含む。
【手続補正７】
【補正対象書類名】明細書
【補正対象項目名】０１８６
【補正方法】変更
【補正の内容】
【０１８６】
この例において、第１層１０の凸部１０Ｐに第３面１０ｃ及び第４面１０ｄが設けられる。この例において、第２方向Ｄ２（Ｚ軸方向）において、第１低Ａｌ濃度膜１６Ｌの一部と第３電極５３との間に、第３面１０ｃが位置する。第２方向Ｄ２において、第１低Ａｌ濃度膜１６Ｌの別の一部と第３電極５３との間に、第４面１０ｄが位置する。
【手続補正８】
【補正対象書類名】図面
【補正対象項目名】図３０
【補正方法】変更
【補正の内容】
【図３０】
2020174202.tif 000043